(57)【要約】事象データを発生し、相互シグナリング接続を有している多数のネットワークエンティティを経てセッションが接続されるテレコミュニケーションネットワークにおいてセッション特有の事象データを収集する方法及びシステム。本発明の目的は、１つのセッションに関連するが多数の異なるネットワークエンティティにより発生される事象詳細記録を所与の収集ネットワークエンティティへ集中的にリアルタイムで送信するような解決策を提供することである。従って、事象データ合成が最適化され、そしてある収集ネットワークエンティティから別の収集ネットワークエンティティへの事象詳細記録の不必要な送信が回避される。
2005506729.tif 000002
【特許請求の範囲】
【請求項１】
事象データを発生し、相互シグナリング接続を有している多数のネットワークエンティティを経てセッション中のユーザ接続が行われるネットワークにおいてセッション特有の事象データを収集する方法であって、
事象データを発生する上記ネットワークエンティティの各々に、事象データを収集するネットワークエンティティに対するアドレスのセットを記憶し、
接続設定中には、
上記事象データ発生ネットワークエンティティの各々において上記セットから収集ネットワークエンティティの１つのアドレスを選択し、そして
接続中には、
その接続中に発生される事象データを、上記選択されたネットワークエンティティへ送信する、
という段階を備えた方法。
【請求項２】
上記収集エンティティのアドレスは、グローバルに独特である請求項１に記載の方法。
【請求項３】
上記接続設定中には、所定のネットワークエンティティが、セッション／接続確立要求を受け取り、上記セットから上記アドレスを選択し、そして接続設定中にそれが送信するシグナリングメッセージにそのアドレスを挿入することにより、事象データを発生する他のネットワークエンティティにそのアドレスを指示する請求項１に記載の方法。
【請求項４】
上記セッションに関するグローバルに独特の識別子が上記メッセージに挿入される請求項３に記載の方法。
【請求項５】
上記アドレスを含むシグナリングメッセージを受信し、
上記アドレスを上記セットの一次アドレスと比較し、そしてそれらの比較されたアドレスが等しい場合に、
上記メッセージを次のネットワークエンティティに送信し、これにより、事象データを発生するネットワークエンティティにおいて上記受信及び比較段階を実行する請求項３又は４に記載の方法。
【請求項６】
上記アドレスを含むシグナリングメッセージを受信し、
上記アドレスを上記セットの一次アドレスと比較し、そしてそれらの比較されたアドレスが互いに対応していない場合に、
上記受信したアドレスを、上記セットから選択された一次アドレスに置き換え、そして上記メッセージを次のネットワークエンティティに送信し、これにより、事象データを発生するネットワークエンティティにおいて上記受信及び比較段階を実行する請求項３又は４に記載の方法。
【請求項７】
上記ネットワークエンティティは、ネットワーク要素である請求項１に記載の方法。
【請求項８】
上記ネットワークエンティティは、ユーザターミナルである請求項１に記載の方法。
【請求項９】
上記セットのコンテンツは、少なくとも同じドメイン内のネットワークエンティティにおいて同一である請求項１に記載の方法。
【請求項１０】
上記セットのコンテンツは、少なくとも同じネットワーク内のネットワークエンティティにおいて同一である請求項１に記載の方法。
【請求項１１】
事象データを発生する上記ネットワークエンティティのアドレスの記憶されたセットは、テーブルの形態である請求項１に記載の方法。
【請求項１２】
上記事象データは、課金データを含む請求項１に記載の方法。
【請求項１３】
少なくとも、ルーティングネットワークエンティティと、事象データを発生するネットワークエンティティと、事象データを収集するネットワークエンティティとを備えた通信システムにおいて、上記事象データ発生ネットワークエンティティの各々は、
事象データを収集する上記ネットワークエンティティに対するアドレスのセットと、
収集ネットワークエンティティの１つのアドレスを上記セットから選択するための選択手段と、
その選択されたアドレスを、事象データを発生する上記ネットワークエンティティ間にシグナリングするためのシグナリング手段と、
セッション中に発生された事象データを、上記選択手段により選択されたアドレスに送信するための送信手段と、
を備えた通信システム。
【発明の詳細な説明】
【技術分野】
【０００１】
本発明は、一般に、テレコミュニケーションネットワークにおける課金に係る。
【背景技術】
【０００２】
第三世代の移動通信システムは、ヨーロッパではＵＭＴＳ（ユニバーサル移動テレコミュニケーションシステム）と称されている。これは、インターナショナル・テレコミュニケーションズ・ユニオンのＩＭＴ−２０００システムの一部分である。ＵＭＴＳ／ＩＭＴ−２０００は、既存の移動ネットワークより高い送信速度（２Ｍビット／ｓ）を与えるグローバルなワイヤレスマルチメディアシステムである。
【０００３】
ＵＭＴＳ、及び移動通信用のグローバルシステム（ＧＳＭ）における汎用パケット無線サービス（ＧＰＲＳ）は、ワイヤレス通信サービスのパケット交換及び回路交換環境を提供するために開発されたものである。
図１ａは、ＵＭＴＳネットワークを非常に簡単に示す図である。本発明の実際の観点から重要なネットワーク要素しか示されていない。もちろん、ネットワークは、要素の容量、移動加入者の数、及びネットワークの編成に基づいて、以下に述べる１つ以上の各ネットワーク要素を含む。
【０００４】
ユーザターミナル１００は、例えば、ＵＭＴＳ及びＧＳＭのような少なくとも２つの無線アクセス技術を使用して動作できるマルチモードターミナルである。
ゲートウェイＧＰＲＳサポートノード（ＧＧＳＮ）１０２は、外部ネットワークへのゲートウェイであり、所与のＧＰＲＳターミナルに現在サービスしているＧＰＲＳサポートノードへ及びそこからデータパケットをルーティングするルーターとして機能する。
【０００５】
サービングＧＰＲＳサポートノード（ＳＧＳＮ）１０１は、移動交換センターＭＳＣと同じハイアラーキーレベルにある。これは、そのサービスエリア内のＧＰＲＳターミナルの位置に関する情報を維持し、そしてセキュリティ及びユーザアクセス制御ファンクションを実行する。データ転送中に、サービングＧＰＲＳサポートノードは、ベースステーションサブシステムを経て所与のターミナルとの間でデータパケットをやり取りする。サービングＧＰＲＳサポートノードは、全ての加入者情報が永久的に記憶されたホーム位置レジスタ（ＨＬＲ）１０３からルート情報及び加入者情報を要求する。
【０００６】
ＵＭＴＳ仕様は、ネットワークの加入者が１つ以上のパケットデータプロトコル（ＰＤＰ）アドレスをもつことを許す。各アドレスは、ユーザターミナル、サービングＧＰＲＳサポートノード、及びゲートウェイＧＰＲＳサポートノードにおいて１つ以上のパケットデータプロトコルコンテクストにより記述される。このパケットデータプロトコルコンテクストは、選択的に且つ独立してアクチベートし、変更し、及びデアクチベートすることができる。加入者の全てのパケットデータプロトコルコンテクストは、その加入者の国際移動加入者認識（ＩＭＳＩ）に対する同じ移動管理（ＭＭ）コンテクストに関連される。パケットデータプロトコルが設定されたときには、それは、通信チャンネルが設定されたことを意味する。
【０００７】
図１ａにおいて、サービングＧＰＲＳサポートノード及びゲートウェイＧＰＲＳサポートノードは、同じドメインＡに配置される。例えば、加入者とインターネット１０８との間に接続を設定すべきときには、第１ステップとして、移動ターミナル１００が、無線アクセスネットワーク（ＲＡＮ）１０６を経てサービングＧＰＲＳサポートノード１０１へアクティブなパケットデータプロトコルコンテクスト要求を送信する。このメッセージは、パケットデータプロトコルアドレス及びアクセスポイント名（ＡＰＮ）を更に含む種々のパラメータを含んでいる。アクセスポイント名は、使用すべきゲートウェイＧＰＲＳサポートノードを指す論理名である。ここでは、アクセスポイント名は、ゲートウェイＧＰＲＳサポートノード１０２を指し、これを経て移動ターミナルとインターネットとの間でデータパケットがルーティングされる。接続が完了する前に上記ネットワーク要素間で多数のメッセージが送信される。
【０００８】
勘定を請求するか又は事象（コール／セッション）詳細を監視するために事象（コール／セッション）に関する特定の詳細情報が必要とされるときには、事象（コール／セッション）詳細データ収集が常に使用される。従って、ネットワーク要素の各々は、ある所定限界に到達するまで各コール／セッションに関するデータを収集する。その限界は、あるデータ量、時間、又は定義可能なトリガー値、例えば、メガバイトである。従って、ネットワーク要素は、事象詳細記録を発生し、そしてアクティブなプロトコルを使用してＩＰネットワーク（インターネットプロトコルネットワーク）１０７を経て課金ゲートウェイファンクションＣＧＦ１  １０４へそれを送信する。一般に、少なくとも次のネットワーク要素が事象コール詳細記録を発生する。即ち、汎用パケット無線サービス（ＧＥＲＡＮ）又はＵＭＴＳ地上無線アクセスネットワーク（ＵＴＲＡＮ）（これは、３ＧＰＰ（第三世代パートナーシップ・プロジェクト）に現在指定されているワイドバンドマルチアクセス無線ネットワークである）のような無線アクセスネットワークにおけるサービングＧＰＲＳサポートノード、ゲートウェイＧＰＲＳサポートノード、コール状態制御ファンクション（ＣＳＣＦ）、及びアプリケーションサーバー。通常、１つのセッション中に、上記ネットワーク要素の各々は、セッションに関する多数の事象コール詳細記録を発生する。
【０００９】
課金ゲートウェイファンクションは、例えば、サービングＧＰＲＳサポートノードから同じセッションに関する事象詳細記録を４つ受け取ると共に、ゲートウェイＧＰＲＳサポートノードから４つ受け取り、次いで、各事象詳細記録に見られるシーケンス番号の助けでそれらを合成する。フォーマットされた事象コール詳細記録は、課金ゲートウェイファンクションからビリングセンター（ＢＣ）１０５へ処理のために送信される。
【発明の開示】
【発明が解決しようとする課題】
【００１０】
上述した方法を第三世代移動通信システムの最新のリリースにおいて使用する場合には多数の問題が生じる。それら問題の幾つかを図１ｂを参照して以下に簡単に説明する。
サービングＧＰＲＳサポートノード１０１、ゲートウェイＧＰＲＳサポートノード１０２、コール状態制御ファンクションＣＳＣＦ１０９、アプリケーションサーバー１１０、又は他の何らかのネットワーク要素１１１のような各ネットワーク要素には数百万の事象詳細記録が常に発生される。次いで、各ネットワーク要素は、コール詳細記録を課金ゲートウェイファンクションＣＧＦ１−ＣＧＦＮ１１２へ独立して通す。問題は、当該ネットワーク／ドメインにおいて特定の課金ゲートウェイファンクション（例えば、ＣＧＦ１）に対し１つのセッションに関する全ての事象詳細記録を自動的にリアルタイムで直接集中化するメカニズムが現在のところ存在しないことである。対照的に、事象詳細記録は、非常に多数の異なる課金ゲートウェイファンクションへ向けられる。これは、同じセッション／コールに関する事象詳細記録をいかに合成するかという問題を招く。１つの解決策は、いわゆるメディエーター（仲介者）と称するスタンドアローン装置を使用して、事象詳細記録を収集し合成した後に、それらを更なる処理のためにビリングセンター１０６へ送信することである。メディエーターにおいて事象詳細記録を合成するのは、極めて複雑で、時間浪費である。
【００１１】
１つの解決策は、独特のセッション識別子を使用して、正しい事象詳細記録を合成することである。この種の解決策は、本出願の出願日までに公開されていない本出願人の以前の米国特許出願第０９／５７７，１５２号に開示されている。この識別子は、グローバルトランザクションＩＤ（独特のセッション識別子）と称される。
しかしながら、この解決策は、上述した時間浪費な問題を解決するものではなく、即ち異なるネットワーク要素が依然として事象詳細記録を異なる課金ゲートウェイファンクションに送信する。
【課題を解決するための手段】
【００１２】
本発明は、一般に、テレコミュニケーションネットワークにおける事象詳細記録（ＥＤＲ）の収集及び管理（課金、監視、合法的傍受等に関連した）に係り、より詳細には、第三世代移動通信ネットワークにおける後払い及び事象詳細記録に基づく前払い課金に係る。
【００１３】
本発明の目的は、１つのセッションに関連するが多数の異なるネットワークエンティティにより発生される事象詳細記録を所与の収集ネットワークエンティティへ集中的にリアルタイムで送信するような解決策を提供することである。従って、事象データ合成が最適化され、そしてある収集ネットワークエンティティから別の収集ネットワークエンティティへの事象詳細記録の不必要な送信が回避される。この目的は、独立請求項に記載したことを特徴とする方法及びシステムにより達成される。
【００１４】
本発明の考え方は、事象詳細記録を発生し、相互シグナリング接続を有している多数のネットワークエンティティを経てセッション中のユーザ接続が行われるときに、所与の収集ネットワークエンティティにおいてセッション特有のデータを収集することである。
あるドメイン／ネットワークにおいて事象詳細記録を発生するネットワークエンティティの各々は、事象詳細記録を収集するネットワークエンティティのセットアドレスを含む対応テーブルを有する。収集ネットワークエンティティのアドレスは、普遍的に独特である。
【００１５】
接続の設定中に、接続／セッション確立要求を受け取るネットワークエンティティは、上記テーブルから収集ネットワークエンティティのアドレスを選択し、そして事象詳細記録を発生する次のネットワークエンティティへ送信されるべきシグナリングメッセージに、独特のセッション識別子と共にアドレスを挿入することにより、事象詳細記録を発生するネットワークエンティティへそのアドレスを提案する。
【００１６】
事象詳細記録を発生するネットワークエンティティは、その提案されたアドレスを受け取ると、そのアドレスが収集ネットワークエンティティのテーブルにおいて構成されているかどうかチェックする。
その提案されたアドレスがその構成されたテーブルにおいて収集ネットワークエンティティの一次アドレスに一致する場合には、ネットワークエンティティがメッセージを次のネットワークエンティティへ更に送信する。
【００１７】
その提案されたアドレスがその構成されたテーブルにおいて収集ネットワークエンティティの一次アドレスに一致しない場合には、ネットワークエンティティは、テーブルの次のアドレスが一致するかどうか、等々をチェックする。アドレスが見つかった場合には、メッセージが、上述したように次のネットワークエンティティに送信される。
その提案されたアドレスがテーブルに見つからない場合には、上記ネットワークエンティティは、テーブルから一次収集ネットワークエンティティアドレスを選択し、提案されたアドレスをそれに置き換え、そしてメッセージを次のネットワークエンティティへ送信する。
【００１８】
提案された収集ネットワークエンティティが使用されていないか又は応答しない場合には、当該ネットワークエンティティは、その提案されたアドレスを、構成されたテーブルからの次のアドレスに置き換え、そしてメッセージを次のネットワークエンティティへ送信する。
当該セッション／コールに関する全ての事象詳細記録は、セッション／コール中に、このように選択された同じ収集ネットワークエンティティアドレスへリアルタイムで送信される。
【００１９】
セッションに関する事象詳細記録の合成は、この指定された収集ネットワークエンティティにおいて独特のセッション識別子を使用して実行される。
従って、１つのセッション／コールに関連した多数のネットワークエンティティから発生された事象詳細記録は、同じ収集ネットワークエンティティにおいて集中化される。これは、事象詳細記録の実際の合成を加速する。
この解決策は、動的であり、ネットワークエンティティが同じネットワーク／ドメインにあるか異なるネットワーク／ドメインにあるかに関わらず、ネットワークにおける事象詳細記録の送信を簡単化する。
【発明を実施するための最良の形態】
【００２０】
以下、添付図面を参照して、本発明を詳細に説明する。
第三世代移動通信システム又は全ＩＰ（３ＧＰＰ  ｒｅｌ．５）ネットワークにおける動的なリアルタイム事象詳細記録収集及び管理について以下に説明する。しかしながら、本発明は、ＵＭＴＳの全ＩＰネットワークに限定されず、動的なリアルタイム事象詳細記録収集及び管理を使用することが必要ないかなる種類のネットワークでも実施できることが理解されよう。
以下に述べる本発明の考え方は、テレコミュニケーションネットワークの異なるネットワーク要素において指定の収集ネットワークエンティティに発生された事象詳細記録の送信を集中化することである。
【００２１】
以下、事象詳細記録は、ＥＤＲとも称され、サービングＧＰＲＳサポートノードは、ＳＧＳＮと称され、ゲートウェイＧＰＲＳサポートノードは、ＧＧＳＮと称され、課金ゲートウェイファンクションは、ＣＧＦと称され、アプリケーションサーバーは、ＡＳと称され、そしてコール状態制御ファンクションは、ＣＳＣＦ又はＣＰＳ（コール処理サーバー）と称される。
本発明は、図２ないし６を参照して幾つかの例について詳細に説明する。以下の例では、事象データは、課金データであり、そしてネットワークエンティティは、ネットワーク要素である。
【００２２】
図２は、課金の効率を高めるために必要とされる機能を実施する１つの方法を示す。
時間浪費な課金データ合成及び異なる課金ゲートウェイファンクション間での事象詳細記録の不適切な送信の問題を克服するために、ドメイン／ネットワークにおける各ネットワーク要素は、１つのセッション／コールに関連したＥＤＲを同じＣＧＦへ送信する。従って、ネットワーク要素ＳＧＳＮ２０１、ＧＧＳＮ２０２、アプリケーションサーバー２０３、及びＣＰＳ２０４は、ＵＭＴＳの全ＩＰネットワークにおけるＧａインターフェイスを経てＣＧＦ２０５へ全てのＥＤＲを送信する。
【００２３】
これは、非常に簡単な例に過ぎないことに注意するのが重要である。グローバルには、ＵＭＴＳネットワークは、数百万の事象詳細記録を各々連続的に発生する多数のネットワーク要素を備えている。
図３において、音声コール設定を一例として考える。シグナリング図は、３ＧＰＰ  ｒｅｌ．５ネットワークにおける基本的な接続設定を示す。ここに述べるシグナリングメッセージは、一例に過ぎず、多数の他の種類のシグナリングメッセージもある。この例は、コール／セッションに関連したシグナリングメッセージを交換するネットワーク要素間でＣＧＦアドレスを転送する考えられる方法の１つを示すに過ぎない。或いは又、独特のセッション識別子及びＣＧＦアドレスを転送するプロセスにユーザターミナルを含ませることもできる。
【００２４】
コール設定シグナリングは、一方では、発呼加入者とアプリケーションサーバーとの間で対称的であり、他方では、アプリケーションサーバーと被呼加入者との間で対称的である。それ故、シグナリングチャートの片側だけを検討すれば充分であろう。
パケットデータプロトコルＰＤＰコンテクストがアクチベートされたと仮定する。上述したように、各パケットデータプロトコルコンテクストは、選択的に且つ独立してアクチベートし、変更し、そしてデアクチベートすることができる。
【００２５】
発呼者である移動加入者Ａは、この特定例では別の移動加入者Ｂである被呼者へ音声コールを行おうとする。音声コールに関わらず、接続は、ユーザターミナル及びサービスプロバイダーに基づいて、加入者からビデオサーバー又はネットワークゲーム等へのセッションでもある。
ユーザターミナルは、サービング無線アクセスネットワークＲＡＮ、ＳＧＳＮ及びＧＧＳＮを経て「インバイト」メッセージ３００をコール状態制御ファンクションＣＳＣＦへ送信し、より詳細には、プロキシーコール状態制御ファンクションＰ−ＣＳＣＦへ送信する。
【００２６】
コール状態制御ファンクションＣＳＣＦは、２つの論理的部分に分割することができ、即ちＣＳＣＦは、プロキシーＣＳＣＦ又はサービングＣＳＣＦ（Ｓ−ＣＳＣＦ）として働くことができる。ＣＳＣＦは、第１エントリーポイントとして働くといった多数の機能を取り扱い、到来するコールのルーティングを実行し、勘定、監査、傍受又は他の目的のためにコール事象を報告し、サーバートリガーメカニズムを与え、アプリケーションレベル登録を受け取って処理し、そして初期ユーザのアクセスをホームドメインに通知する（例えば、ＣＳＣＦシグナリング搬送アドレス及びユーザＩＤ）。
【００２７】
Ｐ−ＣＳＣＦは、インターネットプロトコルマルチメディアサブシステム（ＩＭＳ）内のユーザターミナルに対する第１コンタクトポイントである。各ユーザターミナルは、それに関連して同じネットワークに配置されたプロキシーＣＳＣＦを常に有している。
「インバイト」メッセージ３００は、「加入者Ｂへの音声コール接続を確立したい(I want to establish a voice call connection to subscriber B)」という要求である。受信したメッセージに応答して、プロキシーＣＳＣＦは、独特のコールＩＤを発生し、コール中に発生される全てのＥＤＲが送り込まれる一次課金ゲートウェイとして使用されるべき課金ゲートウェイを、構成されたリストから識別する（段階３０１）。これら２つの独特のパラメータは、メモリに記憶され、そしてこれらパラメータは、受信したメッセージに追加される。コールＩＤは、ＩＰマルチメディアコアネットワークサブシステム（ＩＭＳ）ＥＤＲに対して得られる。
【００２８】
ここから、上記課金ゲートウェイは、提案された課金ゲートウェイファンクション、提案されたＣＧＦ、又は提案されたＩＰｖ６  ＣＧＦアドレス（ＩＰｖ６＝インターネットプロトコルバージョン６）の名前で呼ばれる。
段階３０２において、Ｐ−ＣＳＣＦは、提案された課金ゲートウェイのＩＰｖ６アドレス及びコールＩＤを含むＳＩＰ「インバイト」メッセージを、コール／セッション状態が取り扱われるサービングＣＳＣＦ（Ｓ−ＣＳＣＦ）へ送信する。次いで、Ｐ−ＣＳＣＦは、コール接続を確立し始める。コールＩＤは、ＩＭＳ  ＥＤＲに対して得られる。
【００２９】
セッション開始プロトコルＳＩＰは、ＩＰネットワークにおいてセッションを確立するのに使用されるアプリケーションレベルのシグナリングプロトコルである。セッションは、単純な両方向電話コール又は共同のマルチメディア会議セッションである。ＳＩＰは、１人以上の参加者を伴うセッションを形成し、変更しそして終了するためのプロトコルである。又、これは、ユーザの移動をサポートし、そして要求をユーザの現在位置に向け直す。
【００３０】
Ｓ−ＣＳＣＦは、行先アドレスを分析し、そして加入者が同じネットワークオペレータのものか異なるネットワークオペレータのものか決定する。又、Ｓ−ＣＳＣＦは、提案されたＣＧＦアドレスが、ＣＧＦアドレスの構成されたリストにおける一次ＣＧＦアドレスに一致するかどうかもチェックする。比較の結果が「真」であり、即ちアドレスが同じである場合には、この特定のコールに関連したＳ−ＣＳＣＦに発生された全てのＥＤＲが、その提案されたＣＧＦアドレスへ送信される。この提案されたＣＧＦアドレスは、コール確立段階の始め及びその間にこの特定のコールに関連した異なるネットワーク要素間のメッセージに含まれる。ＣＧＦの構成されたリストからの提案されたＣＧＦアドレスのチェックは、この時点から、このコールに関するメッセージを受信する各ネットワーク要素により繰り返される。
【００３１】
提案されたアドレスが、構成されたリストにおける課金ゲートファンクションの一次アドレスに一致しない場合には、ネットワーク要素は、そのリストから次の課金ゲートウェイファンクションアドレスを選択し、上記提案されたアドレスをそれに置き換え、そしてメッセージを独特のセッション識別子と共に次のネットワーク要素へ送信する。
又、提案された課金ゲートウェイファンクションが使用されないか又は応答しない場合には、当該ネットワーク要素は、その提案されたアドレスを、構成されたリストからの次のアドレスに置き換える。
【００３２】
次いで、段階３０３において、ＳＩＰ「インバイト」メッセージは、コールＩＤ及び提案された課金ゲートウェイのＩＰｖ６アドレスと共に、Ｓ−ＣＳＣＦからアプリケーションサーバーへ送信される。コールＩＤは、アプリケーションサーバーＥＤＲに対して得られる。アプリケーションサーバーは、「応答」メッセージ３０４をＳ−ＣＳＣＦに送信することによりメッセージの受信を確認する。
それに応答して、Ｓ−ＣＳＣＦは、コールＩＤ及び提案された課金ゲートウェイのＩＰｖ６アドレスを含むＳＩＰ「インバイト」メッセージ３０５を質問ＣＳＣＦ（Ｉ−ＣＳＣＦ）へ送信する。このＩ−ＣＳＣＦは、そのネットワークオペレータの加入者に向けられた全ての接続に対するオペレータのネットワーク内のコンタクトポイントである。コールＩＤは、ＩＭＳ  ＥＤＲに対して得られる。
【００３３】
第１のタスクは、ここで、被呼加入者がどこに位置しているか、そして加入者の移動ターミナルが音声コールを自由に行えるかどうか見出すことである。
移動加入者の位置が分かりそしてコールを自由に受け取れるときには、接続を確立できることを指示するＯＫメッセージ３０６が、他のオペレータネットワークに配置されたＳ−ＣＳＣＦのようなネットワーク要素から送信される。このメッセージは、ＣＳＣＦ、ＧＧＳＮ及びＳＧＳＮを経て加入者Ａのユーザターミナルへ送信される。
【００３４】
ここまでのところ、上記ネットワーク要素間のメッセージは、シグナリングチャンネルを経て送信され、即ちトラフィックチャンネルは、まだ指定されていない。シグナリングチャートの下部のメッセージは、メディア／トラフィック経路に対して必要とされる。
段階３０７において、ユーザターミナルは、ＳＧＳＮへＡｃｔｉｖａｔｅＳｅｃｏｎｄａｒｙＰＤＰ＿Ｃｏｎｔｅｘｔ（二次ＰＤＰコンテクストアクチベート）要求メッセージを送信し、そしてＳＧＳＮは、ＣｒｅａｔｅＰＤＰ＿Ｃｏｎｔｅｘｔ（ＰＤＰコンテクスト形成）要求メッセージ３０８をＧＧＳＮへ転送する。このメッセージの受信に応答して、ＧＧＳＮは、ＳＧＳＮ及びＧＧＳＮのＥＤＲに対して得られる課金ＩＤを発生する。その後、ＧＧＳＮは、認証要求メッセージ３０９をＰ−ＣＳＣＦへ送信し、これは、例えば、ＣＯＰＳ（共通オープンポリシーサービスプロトコル）メッセージをベースとする。
【００３５】
ポリシー制御ファンクションは、論理的エンティティであり、これは、どのパケットがＧＧＳＮを通過することが許されるか制御する。このメッセージに応答して、Ｐ−ＣＳＣＦは、コールＩＤ及び提案された課金ゲートウェイのＩＰｖ６アドレスを含む「判断」メッセージ３１０を送信することにより、ＰＤＰコンテクストアクチベーションの許可に関する判断をＧＧＳＮに通知する。このコールＩＤは、ＰＳ  ＥＤＲに対して得られる。
【００３６】
次のステップは、ＧＧＳＮが、コールＩＤ、課金ＩＤ、及び提案された課金ゲートウェイのＩＰｖ６アドレスを含むＣｒｅａｔｅＰＤＰ＿Ｃｏｎｔｅｘｔ（ＰＤＰコンテクスト形成）応答メッセージ３１１でＳＧＳＮに応答することである。コールＩＤ及び課金ＩＤは、ＰＳ  ＥＤＲに対して得られる。段階３１２において、ＳＧＳＮは、ＡｃｔｉｖａｔｅＳｅｃｏｎｄａｒｙＰＤＰ＿Ｃｏｎｔｅｘｔ（二次ＰＤＰコンテクストアクチベート）受け入れメッセージをユーザターミナルへ送信する。
このコールに関する全てのＥＤＲは、上述したネットワーク要素の各々から、提案されたＣＧＦへ自動的に送信される。
【００３７】
以下、図４ないし６を参照して３つの例について本発明を説明する。
図４は、第三世代の移動通信システムの１つのドメインに使用されるべき独特の課金ゲートウェイアドレスを送信するプロセスを示している。独特のコールＩＤも、上述したように課金ゲートウェイアドレスと共に送信される。
図４における番号は、図１における番号に対応し、ネットワーク要素及びネットワーク１００−１０８は、ネットワーク要素及びネットワーク４００−４０８に対応する。ホーム加入者サービス（ＨＳＳ）レジスタ４０３は、ホーム位置レジスタ（ＨＬＲ）で増強される。
【００３８】
パケットデータプロトコルＰＤＰコンテクストがアクチベートされ、即ちユーザターミナル４００とコール状態制御ファンクション４０９との間にシグナリングチャンネルが形成される。ユーザターミナルは、被呼加入者への接続確立を要求している。或いは又、ユーザターミナルの加入者は、マルチメディア、ビデオ、ゲーム等にサービスするアプリケーションサーバーへの接続を希望してもよい。接続が設定されるときに必要とされるシグナリングメッセージは、ＳＧＳＮ４０１及びＧＧＳＮ４０２を経てＣＳＣＦへ送信される。ＣＳＣＦは、受信したメッセージのコンテンツ、例えば、コール設定要求を分析し、そして別のオペレータのネットワークに位置するＣＳＣＦへその要求を転送するといったアクションを実行する。図４に示すように、各ネットワーク要素、即ちＳＧＳＮ４０１、ＧＧＳＮ４０２、及びＣＳＣＦ４０９は、課金ゲートウェイファンクションアドレス４１０−４１２の構成されたリストを有している。ＣＳＣＦは、当該セッションに含まれる全てのネットワーク要素により使用されるべき課金ゲートウェイファンクションアドレスＣＧＦ１をリスト４１０から選択する。提案された課金ゲートウェイファンクションアドレスは、メッセージと共にＧＧＳＮへ送信され、次いで、ＧＧＳＮは、それをメッセージと共にＳＧＳＮへ送信する。メッセージの送信及び提案された課金アドレスのチェックは、上述したように実行される。ネットワーク要素におけるリストは、互いに対応する。
【００３９】
図５は、第三世代移動通信システムの１つのドメインにおいて独特の課金ゲートウェイアドレスを送信するプロセスも示す。図中、パケットデータプロトコルＰＤＰコンテクストは、ユーザターミナルとアプリケーション５００との間でアクチベートされ、そしてユーザターミナルとアプリケーションとの間の接続が設定されてアクチベートされる。ＣＳＣＦは、接続中に使用されるべき提案されたＣＧＦをメッセージ（図３で述べた）においてアプリケーションに通知する。ＣＳＣＦとアプリケーションとの間のメッセージは、アプリケーション層において送信される。
【００４０】
図６は、第三世代ネットワークの２つのドメインにおいて独特の課金ゲートウェイアドレスを送信するプロセスを示す。
オペレータＡは、ドメインＡにネットワークを所有し、オペレータＢは、ドメインＢにネットワークを所有する。構成されたリストは、異なるネットワーク所有者のネットワーク要素において互いに異なる。ＣＳＣＦ４０９は、ＣＧＦ５アドレスをＧＧＳＮ４０２に提案するが、ＧＧＳＮは、その提案されたアドレスをそれ自身のリストから見出せない。この場合、ＧＧＳＮは、一次課金ゲートウェイファンクションＣＧＦ１をそのリストから選択し、ＣＧＦ５アドレスをそれに置き換え、そしてメッセージをＳＧＳＮへ転送する。
【００４１】
加入者は、音声コール、ｅ−メール、ビデオセッションのような多数のアクティブなコール／セッションを同時にもつことがある。独特な識別子の助けで、発生された課金情報を詳細に追跡し、例えば、音声コール、ｅ−メール又はビデオセッションの間にどれほど多くのデータ量が転送されたかについて課金情報から区別することができる。
【００４２】
１つのネットワーク要素から次のネットワーク要素へ送信される独特のセッション識別子及び独特の課金ゲートウェイアドレスにより、迅速で、明確で且つ動的な課金と、監視、統計学的情報の収集及び合法的傍受に関するアクティビティを達成することができる。
【００４３】
本発明は、第三世代移動通信システムに特に適するよう設計されているが、本発明は、このようなシステムのアプリケーションに限定されない。ここに述べる課金方法及びシステムは、いかなる種類のネットワークにもインストールできることが明らかである。もちろん、ユーザターミナルも、いかなる種類のものでもよい。更に、独特のセッション識別子及びＣＧＦアドレスをユーザターミナルに配送し、次いで、課金データを発生する他のネットワーク要素に配送し、独特のセッション識別子及びＣＧＦアドレスが、当該セッション／コールに含まれる全てのネットワーク要素に配送されるように確保できる。
【００４４】
以上、種々の例について本発明の実施及び実施形態を説明した。しかしながら、本発明は、上述した実施形態の細部によって限定されるものではなく、本発明の特徴から逸脱せずに多数の変更及び修正が当業者に明らかであろう。上述した実施形態は、本発明を例示するもので、それに限定するものではない。それ故、本発明は、特許請求の範囲のみにより限定されるものとする。従って、請求の範囲により規定される別の実施形態や、等効物は、本発明の範囲に包含される。
【図面の簡単な説明】
【００４５】
【図１ａ】第三世代移動通信システムを簡単に示す図である。
【図１ｂ】テレコミュニケーションネットワークにおいてコール詳細記録を送信するための公知解決策を示す図である。
【図２】本発明による方法の実施形態を示すブロック図である。
【図３】基本的接続設定の例を示すシグナリングチャートである。
【図４】第三世代移動通信ネットワークの１つのドメインにおいて課金ゲートウェイアドレス送信を示す図である。
【図５】第三世代移動通信ネットワークの１つのドメインにおいて課金ゲートウェイアドレス送信を示す図である。
【図６】第三世代移動通信ネットワークの２つのドメインにおいて課金ゲートウェイアドレス送信を示す図である。
【図１ａ】
2005506729.tif 000003
【図１ｂ】
2005506729.tif 000004
【図２】
2005506729.tif 000005
【図３】
2005506729.tif 000006
【図４】
2005506729.tif 000007
【図５】
2005506729.tif 000008
【図６】
2005506729.tif 000009
【国際公開パンフレット】
2005506729.tif 000010
2005506729.tif 000011
2005506729.tif 000012
2005506729.tif 000013
2005506729.tif 000014
2005506729.tif 000015
2005506729.tif 000016
2005506729.tif 000017
2005506729.tif 000018
2005506729.tif 000019
2005506729.tif 000020
2005506729.tif 000021
2005506729.tif 000022
2005506729.tif 000023
2005506729.tif 000024
2005506729.tif 000025
2005506729.tif 000026
2005506729.tif 000027
2005506729.tif 000028
2005506729.tif 000029
2005506729.tif 000030
2005506729.tif 000031
2005506729.tif 000032
【国際調査報告】
2005506729.tif 000033
2005506729.tif 000034
2005506729.tif 000035